(57)【要約】【課題】適正な撮像制御を行うことができる撮像装置を提供する。【解決手段】撮像素子２は、複数の画素を有する第１の領域および第２の領域を少なくとも備え、第１の撮像期間において、第１の領域を構成する全画素から第１の画像信号を読み出すと共に、第２の領域を構成する全画素のうち一部を間引いた画素から第２の画像信号を読み出し、第２の撮像期間において、第１の領域および前記第２の領域を構成する全画素から第３の画像信号を読み出すことが可能である。制御部１５は、第１の撮像期間において第１信号処理部６が第１の画像信号を処理した結果と第２信号処理部７が第２の画像信号を処理した結果との両方に基づいて第２の撮像期間の露出制御または合焦制御を行う。【選択図】図１
2009272798.tif 000002
【特許請求の範囲】
【請求項１】
複数の画素を有する第１の領域および第２の領域を少なくとも備え、第１の撮像期間において、前記第１の領域を構成する全画素から第１の画像信号を読み出すと共に、前記第２の領域を構成する全画素のうち一部を間引いた画素から第２の画像信号を読み出し、第２の撮像期間において、前記第１の領域および前記第２の領域を構成する全画素から第３の画像信号を読み出すことが可能な撮像素子と、
前記第１の撮像期間において前記第１の画像信号を処理する第１の信号処理手段と、
前記第１の撮像期間において前記第２の画像信号を処理する第２の信号処理手段と、
前記第２の撮像期間において前記第３の画像信号を処理する第３の信号処理手段と、
前記第１の撮像期間において前記第１の信号処理手段が前記第１の画像信号を処理した結果と前記第２の信号処理手段が前記第２の画像信号を処理した結果との両方に基づいて前記第２の撮像期間の露出制御または合焦制御を行う制御手段と、
を備えたことを特徴とする撮像装置。
【請求項２】
前記制御手段は、前記第１の撮像期間において前記第２の信号処理手段が前記第２の画像信号を処理した結果に基づいて、前記第２の撮像期間における前記第２の領域の信号増幅量を制御し、前記第１の撮像期間において前記第１の信号処理手段が前記第１の画像信号を処理した結果に基づいて、前記第２の撮像期間における前記第１の領域の信号増幅量を制御することによって露出制御を行うことを特徴とする請求項１に記載の撮像装置。
【請求項３】
前記制御手段は、前記第１の撮像期間において前記第１の信号処理手段が前記第１の画像信号を処理した結果に基づいて、前記第２の撮像期間における光学系のフォーカスを制御し、前記第１の撮像期間において前記第２の信号処理手段が前記第２の画像信号を処理した結果に基づいて、前記第２の撮像期間における前記第２の領域における画像のコントラストに係る信号処理を制御することによって合焦制御を行うことを特徴とする請求項１に記載の撮像装置。
【請求項４】
前記第２の撮像期間において前記第３の画像信号を記録媒体に記録する記録手段をさらに備えたことを特徴とする請求項１〜請求項３のいずれかに記載の撮像装置。
【発明の詳細な説明】
【技術分野】
【０００１】
本発明は、露出制御または合焦制御を行う撮像装置に関する。
【背景技術】
【０００２】
撮像領域を構成する全画素のうち一部の画素を間引き走査して画像信号を読み出す間引き撮像や、撮像領域内の所定領域を構成する全画素を順次走査して画像信号を読み出す順次撮像（ブロック撮像）を行うことが可能な撮像素子を備えた撮像装置がある。この撮像装置では、間引き撮像で得られた画像が表示されるので、画角を確認することが可能であり、また、順次撮像で得られた画像が表示されるので、注目する被写体の状態を確認することが可能である。なお、特許文献１には、同一フレーム内で間引き撮像と順次撮像のそれぞれによる画像信号を得ることが可能な撮像装置が記載されている。
【０００３】
上記の間引き撮像や順次撮像で得られた画像信号は、撮影者が画角や被写体の状態を確認する以外に、撮像装置が露出やフォーカスを制御するために利用することが可能なものである。すなわち、間引き撮像で得られた画像信号を用いて、画角全体で信号が飽和している箇所がなくなるような条件を求め、その条件に従ってレンズの絞りや撮像素子の露光時間（シャッタスピード）等の制御を行うことによって、露出制御を行うことが可能である。また、順次撮像で得られた画像信号を用いて、その高周波成分の信号レベルを積算して評価値を求め、その評価値が最大となるようにレンズのフォーカスを制御することによって、合焦制御を行うことが可能である。
【特許文献１】特開２０００−３２３１８号公報
【発明の開示】
【発明が解決しようとする課題】
【０００４】
撮影者が順次撮像で得られた画像を確認しながら撮像を行う場合、順次撮像を行った領域は撮影者の関心が高い領域であることが多く、その領域の被写体を良好に撮像できることが好ましい。しかし、従来の露出制御では、全体の画角を対象とした処理が行われるため、撮影者の関心が高い領域に対して適正な露出制御が行われるとは限らない。また、従来の合焦制御では、順次撮像を行った領域の情報を用いて全体の画角を対象とした処理が行われるため、撮影者の関心が高い領域以外の領域に対して適正な合焦制御が行われるとは限らない。
【０００５】
本発明は、上述した課題に鑑みてなされたものであって、適正な撮像制御を行うことができる撮像装置を提供することを目的とする。
【課題を解決するための手段】
【０００６】
本発明は、上記の課題を解決するためになされたもので、複数の画素を有する第１の領域および第２の領域を少なくとも備え、第１の撮像期間において、前記第１の領域を構成する全画素から第１の画像信号を読み出すと共に、前記第２の領域を構成する全画素のうち一部を間引いた画素から第２の画像信号を読み出し、第２の撮像期間において、前記第１の領域および前記第２の領域を構成する全画素から第３の画像信号を読み出すことが可能な撮像素子と、前記第１の撮像期間において前記第１の画像信号を処理する第１の信号処理手段と、前記第１の撮像期間において前記第２の画像信号を処理する第２の信号処理手段と、前記第２の撮像期間において前記第３の画像信号を処理する第３の信号処理手段と、前記第１の撮像期間において前記第１の信号処理手段が前記第１の画像信号を処理した結果と前記第２の信号処理手段が前記第２の画像信号を処理した結果との両方に基づいて前記第２の撮像期間の露出制御または合焦制御を行う制御手段とを備えたことを特徴とする撮像装置である。
【０００７】
また、本発明の撮像装置において、前記制御手段は、前記第１の撮像期間において前記第２の信号処理手段が前記第２の画像信号を処理した結果に基づいて、前記第２の撮像期間における前記第２の領域の信号増幅量を制御し、前記第１の撮像期間において前記第１の信号処理手段が前記第１の画像信号を処理した結果に基づいて、前記第２の撮像期間における前記第１の領域の信号増幅量を制御することによって露出制御を行うことを特徴とする。
【０００８】
また、本発明の撮像装置において、前記制御手段は、前記第１の撮像期間において前記第１の信号処理手段が前記第１の画像信号を処理した結果に基づいて、前記第２の撮像期間における光学系のフォーカスを制御し、前記第１の撮像期間において前記第２の信号処理手段が前記第２の画像信号を処理した結果に基づいて、前記第２の撮像期間における前記第２の領域における画像のコントラストに係る信号処理を制御することによって合焦制御を行うことを特徴とする。
【０００９】
また、本発明の撮像装置は、前記第２の撮像期間において前記第３の画像信号を記録媒体に記録する記録手段をさらに備えたことを特徴とする。
【発明の効果】
【００１０】
本発明によれば、第１の撮像期間において第１の画像信号を処理した結果と第２の画像信号を処理した結果との両方に基づいて第２の撮像期間の露出制御または合焦制御を行うことによって、第１の領域と第２の領域との両方に対して適正な撮像制御を行うことができるという効果が得られる。
【発明を実施するための最良の形態】
【００１１】
以下、図面を参照し、本発明の実施形態を説明する。図１は、本発明の一実施形態による撮像装置の構成を示している。レンズ１は、入射した光を集光し、撮像素子２の撮像領域上に被写体像を結像する。撮像素子２は撮像領域に複数の画素を備え、被写体像を光電変換により画像信号に変換して出力する。本実施形態の撮像素子２は、例えば画素毎に画像信号を読み出すことが可能なＣＭＯＳイメージセンサで構成されている。また、撮像領域内の所定領域を構成する全画素から画像信号を読み出す順次撮像と、撮像領域を構成する全画素のうち一部を間引いた画素から画像信号を読み出す間引き撮像とを同一フレーム内で行うことが可能である。
【００１２】
駆動制御部３は撮像素子２の動作を制御する。信号選択処理部４は、撮像素子２から出力されたアナログ画像信号をデジタル画像信号に変換し、画像信号を適宜、合成処理部５、第１信号処理部６、第２画像処理部８、出力切替部１０へ出力する。合成処理部５は、信号選択処理部４から出力される画像信号を合成する。
【００１３】
信号選択処理部４および合成処理部５の具体的な動作は以下の通りである。本実施形態では、図２に示すように、撮像領域２００の全体で間引き撮像が行われて画像２１０が生成される。また、撮像領域２００内の順次撮像領域２０１で順次撮像が行われて画像２１１が生成される。
【００１４】
調整用の撮像期間（以下、第１の撮像期間とする）では、図３に示すように、撮像領域３００内の順次撮像領域３０１に対応した画像３１０が生成されると共に、順次撮像領域３０１以外の間引き撮像領域３０２に対応した画像３１１が生成される。信号選択処理部４には、順次撮像で得られた画像３１０に対応した画像信号（以下、順次画像信号とする）と、間引き撮像で得られた画像３１１に対応した画像信号（以下、間引き画像信号とする）とが１フレーム期間内に入力される。
【００１５】
信号選択処理部４は順次画像信号を第１信号処理部６および出力切替部１０へ出力し、間引き画像信号を合成処理部５へ出力する。また、信号選択処理部４は、画像３１０を構成する全画素のうち一部の画素を間引いた画像３１２を生成する処理も行う。すなわち、信号選択処理部４は、順次画像信号に対して間引き処理を行うことによって、画像３１２に対応した間引き画像信号を生成し、合成処理部５へ出力する。
【００１６】
合成処理部５は、一部の画素を間引いた画像３１１，３１２を合成し、撮像画角に対応した画像３２０を生成する処理を行う。すなわち、合成処理部５は、画像３１１，３１２のそれぞれに対応した間引き画像信号を合成し、第２信号処理部７および出力切替部１０へ出力する。
【００１７】
第１の撮像期間が終了した後の記録用画像の撮像期間（以下、第２の撮像期間とする）では、撮像領域内の全画素から画像信号が読み出される。信号選択処理部４はこの画像信号を第２画像処理部８へ出力する。以上が信号選択処理部４および合成処理部５の具体的な動作である。
【００１８】
第１信号処理部６は、順次画像信号に対して所定の処理を行う。第２信号処理部７は、間引き画像信号に対して所定の処理を行う。第１信号処理部６および第２信号処理部７が行う処理の詳細については後述する。第２画像処理部８は、第２の撮像期間に信号選択処理部４から出力された画像信号に対して、ノイズ除去、階調変換（階調補正）、輪郭強調等の処理を行う。記録部９は、第２画像処理部８によって処理された画像信号を記録媒体に記録する。
【００１９】
出力切替部１０は、信号選択処理部４から出力された順次画像信号と、合成処理部５から出力された間引き画像信号とのうちの一方を第１画像処理部１２へ出力する。出力切替部１０が出力する信号の種類は切替可能であり、その設定は切替設定部１１によって行われる。切替設定部１１は、撮影者からの指示に基づいて、出力切替部１０が出力する信号を、信号選択処理部４からの順次画像信号または合成処理部５からの間引き画像信号に設定する。
【００２０】
第１画像処理部１２は、表示に適した画像を生成するため、出力切替部１０から出力された画像信号（順次画像信号または間引き画像信号）に対して、ノイズ除去、階調変換、輪郭強調等の処理を行う。表示部１３は、第１画像処理部１２によって処理された画像信号に基づいて画像を表示する。撮影者は、表示部１３が表示する順次画像または間引き画像により、注目する被写体のフォーカスの状態や画角の確認等を行うことができる。
【００２１】
領域設定部１４は、撮影者からの指示に基づいて、順次撮像を行う順次撮像領域を設定する。図示せぬユーザインタフェースを介して、撮影者が順次撮像領域を設定すると、その領域の位置および大きさに関する領域情報が領域設定部１４から駆動制御部３、信号選択処理部４、および第２画像処理部８へ出力される。駆動制御部３は、領域情報に基づいて、撮像素子２からの順次画像信号および間引き画像信号の読み出しを制御する。信号選択処理部４は、領域情報に基づいて画像信号を選択し、適宜、後段の処理部へ出力する。第２画像処理部８は、領域情報に基づいて、順次撮像領域および間引き撮像領域のそれぞれに適した処理を行う。
【００２２】
制御部１５は、第１の撮像期間において第１信号処理部６が順次画像信号を処理した結果と第２信号処理部７が間引き画像信号を処理した結果との両方に基づいて、第２の撮像期間の露出制御または合焦制御を行う。
【００２３】
次に、本実施形態における露出制御と合焦制御の内容を説明する。まず、露出制御の内容を説明する。本実施形態の露出制御は、レンズ１の絞りあるいは撮像素子２のシャッタスピードの制御による露光量の制御と画像信号の信号増幅量の制御とを含んでいるが、特に信号増幅量の制御に特徴がある。信号増幅量の制御に関しては、間引き撮像で得られた画像（図３の画像３２０）を用いて、順次撮像領域以外の領域の信号増幅量が設定され、順次撮像で得られた画像（図３の画像３１０）を用いて、順次撮像領域の信号増幅量が設定される。
【００２４】
図４は、露出制御に関する撮像装置の動作を示している。撮像が開始されると、順次撮像を行うか否かの設定に応じて処理が分岐する（ステップＳ１００）。順次撮像を行わない設定がなされている場合、撮像領域全体に対して一部の画素を間引いた間引き画像信号が撮像素子２から出力される。この間引き画像信号は、信号選択処理部４および合成処理部５によって第２信号処理部７へ転送される。第２信号処理部７は、撮像領域全体に対応した間引き画像信号の輝度レベルを算出する（ステップＳ１１０）。
【００２５】
第２信号処理部７が算出した輝度レベルの情報は制御部１５へ出力される。制御部１５は、この情報に基づいて露光量および信号増幅量を制御する（ステップＳ１２０）。露光量の制御に関しては、制御部１５は、レンズ１の絞りを制御する、あるいは駆動制御部３を介して撮像素子２のシャッタスピードを制御する。また、信号増幅量の制御に関しては、制御部１５は、第２画像処理部８が行う階調変換の特性を制御する。制御部１５は、上記の制御に係るレンズ１の絞り、撮像素子２のシャッタスピード、および階調変換特性の設定情報を保持する。ここで撮像素子２のシャッタスピードには、メカニカルなシャッタユニットを制御することで露出がきまるシャッタスピードと、撮像素子２自体の電子シャッタ機能で露出がきまるシャッタスピードの両方が含まれる。第１の撮像期間では電子シャッタにより露光量制御を行い、第２の撮像期間（静止画撮影）ではメカシャッタにより露光量制御を行うことが望ましい。なお、図１では省略しているが、メカニカルなシャッタユニットはレンズ１と撮像素子２の間に配置され制御部１５により制御されることはいうまでもない。
【００２６】
続いて、制御部１５が保持している設定情報に従って制御された露出状態で静止画像の撮像が行われる（ステップＳ１３０）。このとき、撮像領域の全画素から画像信号が読み出されて、信号選択処理部４によって第２画像処理部８へ出力される。第２画像処理部８は、ノイズ除去や輪郭強調を行うと共に、制御部１５によって設定された階調変換特性に従って画像信号の階調変換を行う。記録部９は、第２画像処理部８によって処理された画像信号を記録媒体に記録する。
【００２７】
一方、順次撮像を行う設定がなされている場合、同一フレーム内で順次撮像と間引き撮像が行われ、それぞれに対応した画像信号が撮像素子２から読み出されて信号選択処理部４へ出力される。信号選択処理部４は、順次撮像で得られた順次画像信号を第１信号処理部６および出力切替部１０へ出力する。また、信号選択処理部４は、間引き撮像で得られた間引き画像信号と、上記の順次画像信号から画素を間引いた間引き画像信号とを合成処理部５へ出力する。合成処理部５は、各間引き画像信号を合成し、撮像領域全体に対応した間引き画像信号を第２信号処理部７および出力切替部１０へ出力する。第２信号処理部７は、ステップＳ１１０と同様に、撮像領域全体に対応した間引き画像信号の輝度レベルを算出する（ステップＳ１４０）。
【００２８】
第２信号処理部７が算出した輝度レベルの情報は制御部１５へ出力される。制御部１５は、この情報に基づいて露光量および信号増幅量を制御する（ステップＳ１５０）。この制御は、ステップＳ１２０で行われる制御と同様である。また、制御部１５は、この制御に係るレンズ１の絞り、撮像素子２のシャッタスピード、および階調変換特性の設定情報を保持する。
【００２９】
続いて、第１信号処理部６は、順次撮像で得られた順次画像信号の輝度レベルを算出する（ステップＳ１６０）。第２信号処理部７が算出した輝度レベルの情報は制御部１５へ出力される。制御部１５は、この情報に基づいて信号増幅量を制御する（ステップＳ１７０）。
【００３０】
信号増幅量に関して、ステップＳ１５０では撮像領域のうち順次撮像領域（図３の順次撮像領域３０１）以外の間引き撮像領域（図３の間引き撮像領域３０２）の画素から読み出される画像信号に対する信号増幅量が設定され、ステップＳ１７０では順次撮像領域の画素から読み出される画像信号に対する信号増幅量が設定される。より具体的には、間引き画像領域の画像信号に対しては図５（ａ）に示す階調変換特性５００が使用され、順次撮像領域の画像信号に対しては図５（ｂ）に示す階調変換特性５１０が使用される。
【００３１】
図５に示す階調変換特性は処理前の画像信号（入力）と処理後の画像信号（出力）の輝度レベルの対応関係を示している。中輝度の同じ輝度レベルｘが、階調変換特性５００では輝度レベルｙに変換され、階調変換特性５１０では輝度レベルｙ’に変換され、ｙ＜ｙ’である。すなわち、中輝度の領域では階調変換特性５１０の方がより大きな信号増幅量が設定されることになる。階調変換特性５００に従って撮像領域全体に対して階調変換を行った場合、順次撮像領域以外の領域では画像が適正な明るさとなっても、順次撮像領域では画像の明るさが不足することがある。しかし、領域毎に階調変換特性５００，５１０に従って階調変換を行うことによって、撮像領域全体で適正な明るさの画像を得ることができる。
【００３２】
順次撮像領域に対応した階調変換特性は複数種類用意されている。ステップＳ１７０において制御部１５は、ステップＳ１６０で算出された順次撮像領域の輝度レベルに応じて、順次撮像領域の画像信号に対する階調変換特性を選択する。また、制御部１５は、保持している階調変換特性の設定情報を更新する。
【００３３】
続いて、制御部１５が保持している設定情報に従って制御された露出状態で静止画像の撮像が行われる（ステップＳ１３０）。このとき、撮像領域の全画素から画像信号が読み出されて、信号選択処理部４によって第２画像処理部８へ出力される。第２画像処理部８は、ノイズ除去や輪郭強調を行うと共に、制御部１５によって設定された領域毎の階調変換特性に従って画像信号の階調変換を行う。記録部９は、第２画像処理部８によって処理された画像信号を記録媒体に記録する。
【００３４】
次に、合焦制御の内容を説明する。本実施形態の合焦制御は、レンズ１のフォーカスの制御と画像信号の輪郭強調の制御とを含んでいるが、特に輪郭強調の制御に特徴がある。順次撮像で得られた画像（図３の画像３１０）を用いて、順次撮像領域内の被写体にフォーカスが合うようにレンズ１のフォーカスを調節した場合、順次撮像領域以外の領域では画像がぼけている可能性がある。画像がぼけている領域はコントラストが低い領域に相当し、その領域では輪郭強調を弱めにすると画像が不自然にならない。したがって、間引き撮像で得られた画像（図３の画像３２０）を用いて、順次撮像領域以外の領域の輪郭強調に係るフィルタ係数が設定される。
【００３５】
図６は、合焦制御に関する撮像装置の動作を示している。撮像が開始されると、順次撮像を行うか否かの設定に応じて処理が分岐する（ステップＳ２００）。順次撮像を行わない設定がなされている場合、撮像領域全体に対して一部の画素を間引いた間引き画像信号が撮像素子２から出力される。この間引き画像信号は、信号選択処理部４および合成処理部５によって第２信号処理部７へ転送される。第２信号処理部７は、撮像領域全体に対応した間引き画像信号の高周波成分の周波数レベルを算出する（ステップＳ２１０）。
【００３６】
第２信号処理部７が算出した周波数レベルの情報は制御部１５へ出力される。制御部１５は、この情報に基づいて、レンズ１のフォーカスおよび輪郭強調に係るフィルタ係数を制御する（ステップＳ２２０）。制御部１５は、上記の制御に係るレンズ１のフォーカスおよび輪郭強調に係るフィルタ係数の設定情報を保持する。
【００３７】
続いて、制御部１５が保持している設定情報に従って制御されたフォーカス状態で静止画像の撮像が行われる（ステップＳ２３０）。このとき、撮像領域の全画素から画像信号が読み出されて、信号選択処理部４によって第２画像処理部８へ出力される。第２画像処理部８は、ノイズ除去や階調変換を行うと共に、制御部１５によって設定されたフィルタ係数を用いて画像信号の輪郭強調を行う。記録部９は、第２画像処理部８によって処理された画像信号を記録媒体に記録する。
【００３８】
一方、順次撮像を行う設定がなされている場合、同一フレーム内で順次撮像と間引き撮像が行われ、それぞれに対応した画像信号が撮像素子２から読み出されて信号選択処理部４へ出力される。信号選択処理部４は、順次撮像で得られた順次画像信号を第１信号処理部６および出力切替部１０へ出力する。また、信号選択処理部４は、間引き撮像で得られた間引き画像信号と、上記の順次画像信号から画素を間引いた間引き画像信号とを合成処理部５へ出力する。合成処理部５は、各間引き画像信号を合成し、撮像領域全体に対応した間引き画像信号を第２信号処理部７および出力切替部１０へ出力する。第１信号処理部６は、順次撮像領域で得られた順次画像信号の高周波成分の周波数レベルを算出する（ステップＳ２４０）。
【００３９】
第１信号処理部６が算出した周波数レベルの情報は制御部１５へ出力される。制御部１５は、この情報に基づいて、レンズ１のフォーカスおよび輪郭強調に係るフィルタ係数を制御する（ステップＳ２５０）。この制御は、ステップＳ２２０で行われる制御と同様である。また、制御部１５は、この制御に係るレンズ１のフォーカスおよび輪郭強調に係るフィルタ係数の設定情報を保持する。
【００４０】
続いて、第２信号処理部７は、撮像領域全体に対応した間引き画像信号の高周波成分の周波数レベルを算出する（ステップＳ２６０）。第２信号処理部７が算出した周波数レベルの情報は制御部１５へ出力される。制御部１５は、この情報に基づいて、順次撮像領域以外の間引き撮像領域の輪郭強調に係るフィルタ係数を制御する（ステップＳ２７０）。このとき、制御部１５は、保持しているフィルタ係数の設定情報を更新する。
【００４１】
続いて、制御部１５が保持している設定情報に従って制御されたフォーカス状態で静止画像の撮像が行われる（ステップＳ２３０）。このとき、撮像領域の全画素から画像信号が読み出されて、信号選択処理部４によって第２画像処理部８へ出力される。第２画像処理部８は、ノイズ除去や階調変換を行うと共に、制御部１５によって領域毎に設定されたフィルタ係数を用いて画像信号の輪郭強調を行う。記録部９は、第２画像処理部８によって処理された画像信号を記録媒体に記録する。
【００４２】
上述したように、本実施形態によれば、調整用の第１の撮像期間において、順次撮像で得られた順次画像信号を処理した結果と、間引き撮像で得られた間引き画像信号を処理した結果との両方に基づいて、画像記録用の第２の撮像期間の露出制御または合焦制御を行うことによって、順次撮像領域とそれ以外の間引き撮像領域との両方に対して適正な撮像制御を行うことができる。
【００４３】
特に、第２の撮像期間において間引き画像信号を処理した結果に基づいて、第２の撮像期間における順次撮像領域以外の間引き撮像領域の信号増幅量を制御し、第１の撮像期間において順次画像信号を処理した結果に基づいて、第２の撮像期間における順次撮像領域の信号増幅量を制御することによって、適正な露出制御を行うことができる。
【００４４】
また、第１の撮像期間において順次画像信号を処理した結果に基づいて、第２の撮像期間における光学系のフォーカスを制御し、第１の撮像期間において間引き画像信号を処理した結果に基づいて、第２の撮像期間における順次撮像領域以外の間引き撮像領域における輪郭強調を制御することによって、適正な合焦制御を行うことができる。
【００４５】
また、第２の撮像期間において、記録用の画像信号に対する信号増幅量や輪郭強調の制御を行うことによって、適正な露出状態および合焦状態で撮像された画像を記録することができる。
【００４６】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００４７】
【図１】本発明の一実施形態による撮像装置の構成を示すブロック図である。
【図２】本発明の一実施形態において得られる画像を示す参考図である。
【図３】本発明の一実施形態において得られる画像の処理内容を示す参考図である。
【図４】本発明の一実施形態による撮像装置の露出制御の手順を示すフローチャートである。
【図５】本発明の一実施形態による撮像装置の露出制御に用いる階調変換特性を示す参考図である。
【図６】本発明の一実施形態による撮像装置の合焦制御の手順を示すフローチャートである。
【符号の説明】
【００４８】
１・・・レンズ（光学系）、２・・・撮像素子、３・・・駆動制御部、４・・・信号選択処理部、５・・・合成処理部、６・・・第１信号処理部（第１の信号処理手段）、７・・・第２信号処理部（第２の信号処理手段）、８・・・第２画像処理部（第３の信号処理手段）、９・・・記録部（記録手段）、１０・・・出力切替部、１１・・・切替設定部、１２・・・第１画像処理部、１３・・・表示部、１４・・・領域設定部、１５・・・制御部（制御手段）
【図１】
2009272798.tif 000003
【図２】
2009272798.tif 000004
【図３】
2009272798.tif 000005
【図４】
2009272798.tif 000006
【図５】
2009272798.tif 000007
【図６】
2009272798.tif 000008